(57)【要約】【課題】  彩色に立体性や透明性、濃淡の変化を担持させることで箸のデザイン性をより高め、かつ、彩色のバリエーションをより拡げることが可能な彩色箸を提供する。【解決手段】  胴部１ａの表面に形成され外部光を鏡面反射する高反射層２と、この高反射層２の表面に形成された透光性の着色基材層３とを有し、着色基材層３は高反射層２の表面に形成され、かつ、高反射層２に反射した外部光によって、周縁部分３ａから中央部分３ｂに至るまでのグラディエーションを視認できる幅Ｈ又は長さと厚みＴ勾配とを有するように盛上げ塗布されている構成としてある。着色基材層３を高反射層２の表面に複数形成し、隣り合う着色基材層３を異なる色とするか同一色でも異なる明度又は彩度としてもよい。【選択図】  図１
2018175263.tif 000002
【特許請求の範囲】
【請求項１】
箸の胴部の表面に形成され、外部光を高い反射率で反射する高反射層と、この高反射層の表面に形成された透光性の着色基材層とを有し、
前記着色基材層は前記高反射層の表面に形成され、かつ、前記高反射層に反射した外部光によって、周縁部分から中央部分に至るまでの濃淡の変化を視認できる幅及び長さと厚み勾配とを有するように盛上げ形成されていること、
を特徴とする彩色箸。
【請求項２】
前記高反射層が、金属シートを前記胴部の表面に熱転写して形成されることを特徴とする請求項１に記載の彩色箸。
【請求項３】
前記着色基材層を前記高反射層の表面に複数形成し、隣り合う前記着色基材層を異なる色とするか同一色でも異なる明度又は彩度としたことを特徴とする請求項１又は２に記載の彩色箸。
【請求項４】
隣り合う前記着色基材層を前記周縁部分の一部で重ね合わせて配置したことを特徴とする請求項１〜３のいずれかに記載の彩色箸。
【請求項５】
前記着色基材層の厚みの大小を、一方の前記周縁部分から他方の前記周縁部分に向けて連続的に変化させたことを特徴とする請求項１〜４のいずれかに記載の彩色箸。
【請求項６】
前記胴部表面に、反射光色の異なる複数の前記高反射層を設けたことを特徴とする請求項１〜５のいずれかに記載の彩色箸。
【発明の詳細な説明】
【技術分野】
【０００１】
本発明は、胴部の表面に彩色した箸に関し、特に、彩色にガラス細工のような透明感と立体感及び色彩の濃淡変化（グラデーション）とを付与することのできる彩色箸に関する。
【背景技術】
【０００２】
箸はその形状がほぼ一定であることから、装飾性を高めるためにその胴部に漆や塗料で彩色や模様付けをしたり、動植物や風景などの絵柄を付したり、材料である木材の木目や質感を強調したりするなどの工夫が古来よりなされている。また、胴部に凹凸を形成することで胴部表面の色彩や模様を立体的に見せたり、金箔や銀箔を貼り付けることで高級感を醸し出すような試みも従来からなされている。  近年では、特許文献１に記載の箸のように、左右の箸の胴部に互いに噛み合うような凹凸を形成し、この凹凸を着色することで箸の不使用時に美しい模様が形成されるようにしたものが提案されている。
【０００３】
また、特許文献２には、温度によって色が変わる塗料を胴部に塗布した箸が提案されている。
さらに特許文献３には、熱収縮性の模様チューブを胴部に巻き付けて加熱することで胴部に模様を付す技術が開示され、また、複数の前記模様チューブを重ねて胴部に巻き付けることで、多層模様を前記胴部に形成することも提案されている。
【先行技術文献】
【特許文献】
【０００４】
【特許文献１】実用新案登録第３１５６３７７号公報
【特許文献２】実開平６−１５５７４号公報（要約の記載参照）
【特許文献３】特開２０１２−２９７４９号公報（要約の記載参照）
【発明の開示】
【発明が解決しようとする課題】
【０００５】
これら文献に記載の技術は、箸のデザイン性を高めたりそのバリエーションを拡げたりする提案として注目されるべきものであるが、彩色や模様などのデザインの幅を更に拡張したいという要望がある。
本発明は、このような要望に応えるべくなされたもので、彩色に立体性や透明性、濃淡の変化を担持させることで箸のデザイン性をより高め、かつ、彩色などのバリエーションをより拡げることができる彩色箸の提供を目的とする。
【課題を解決するための手段】
【０００６】
上記課題を解決するために本発明の彩色箸は、請求項１に記載するように、箸の胴部の表面に形成され、外部光を高い反射率で反射する高反射層と、この高反射層の表面に形成された透光性の着色基材層とを有し、前記着色基材層は前記高反射層の表面に形成され、かつ、前記高反射層に反射した外部光によって、周縁部分から中央部分に至るまでの濃淡の変化を視認できる幅及び長さと厚み勾配とを有するように盛上げ形成されている構成としてある。
【０００７】
前記高反射層の反射率としては、金，銀，アルミなどの金属を平滑化して鏡面反射する程度の反射率が目安となる。本発明によれば、外部光を高い反射率で反射する高反射層の上に、アクリルなどの樹脂やガラスなど透明基材に顔料や染料を添加した着色基材層を立体的に盛上げ形成し、かつ、この着色基材層の周縁部分から中央部分に至るまで色の濃淡の変化（グラデエーション）を視認できるように盛上げ形成することで、ガラス細工のような明るくて透明感と立体感及び濃淡の変化のある彩色を胴部に付与することができる。
【０００８】
なお、前記高反射層は、前記胴部の表面に金シート（金箔を含む）や銀シート（銀箔を含む）、アルミシート（アルミ箔を含む）等を貼着したり、これら金属のメッキを前記胴部の表面に施したり、請求項２に記載するように熱転写したり、前記胴部を形成する材料として金、銀、アルミなどの高反射性の金属を選択したりすることで形成することができる。
【０００９】
前記着色基材層は前記高反射層の上に盛上げ形成されて立体的であるので、彩色のバリエーションを大きく拡げることが可能になる。例えば請求項３に記載するように、前記着色基材層を前記高反射層の表面に複数形成し、隣り合う前記着色基材層を異なる色とするか同一色でも異なる明度又は彩度とすることで、色鮮やかな種々の立体模様を箸に付与することが可能になる。また、請求項４に記載するように、隣り合う前記着色基材層を前記周縁部分の一部で重ね合わせて配置することで、重ね合わせた部分をその両側と異なる色彩にすることができる。
【００１０】
さらに、請求項５に記載するように、前記着色基材層の厚みの大小を、一方の前記周縁部分から他方の前記周縁部分に向けて連続的に変化させることで、一つの着色基材層の中に連続的に明度の異なる部分を設けることができる。
また、請求項６に記載するように、前記胴部表面に、異なる反射光色の前記高反射層を設けることで、上記に加えてさらに彩色のバリエーションを拡げることができる。
【発明を実施するための最良の形態】
【００１１】
本発明の好適な実施形態を、図面を参照しながら詳細に説明する。
図１〜図４は本発明の彩色箸の第一〜第四の実施形態にかかり、箸の胴部の部分断面図、図５は本発明の彩色箸に形成される色彩や模様パターンの例を示す斜視図、図６は本発明の色彩箸の一例にかかる写真である。なお、図示の例では断面四角形状の箸を例に挙げているが、本発明は円形、多角形など種々の断面形状を有する箸に適用が可能である。
【００１２】
［第一の実施形態］
図１に示すように、箸の胴部１ａの表面には、金，銀又はアルミなど外部光を高い反射率で反射する金属によって高反射層２が形成されている。この高反射層２は、例えばこれら金属を胴部１ａの表面にメッキすることによって形成することができるし、胴部１ａの材質としてこれら金属を選択することによっても形成することができる。この場合、これら金属の表面を可能な限り平滑化して鏡面反射程度の高い反射率が得られるように、適宜に研磨加工やバフ仕上げ加工などを施すとよい。
また、例えば、接着剤層を有する上記の金属シート（金属箔を含む）を胴部１ａの表面に載置し、前記金属シートにしわが生じないように、熱転写によって前記接着剤層を介して胴部１ａの表面に貼着するようにしてもよい。
【００１３】
この高反射層２の表面には透光性の着色基材層３を形成する。この着色基材層３は、アクリル系樹脂、エポキシ系樹脂、ポリエステル系樹脂、ウレタン系樹脂などの樹脂のほかガラスなどの透明基材に顔料や染料を添加して着色した着色基材を用いて、中央部分３ｂの肉厚が大きく周縁部分３ａの肉厚が小さくなるように、高反射層２の上に盛り上げ塗布されたものである。着色基材層３は、高反射層２の表面からの反射光との協働によって、周縁部分３ａから中央部分３ｂに向かうに従って色の濃淡の変化（グラデーション）が視認できるように、ある程度の幅（図１の紙面左右方向の幅Ｈ）及び長さ（同奥行き方向の長さ）と厚み（同上下方向の厚みＴ）勾配を有するように盛上げ形成されている。
【００１４】
幅Ｈ及び長さの目安としては３ｍｍ以上を、厚みＴの目安としては１ｍｍ以上を挙げることができる。また、この濃淡の変化の大小は、着色基材層３に入射して高反射層２まで到達する外部光の光量と密接に関連し、前記透明基材への顔料や染料の添加量が多すぎたり少なすぎたりすると前記濃淡の変化の度合いが小さくなることから、濃淡の変化が箸のデザイン上適度なものになるように、前記添加量を大小調整する。
【００１５】
上記した着色基材層３は、溶媒等に溶解して液状にした前記着色基材を手塗りによって高反射層２の上に塗上げ塗布し、乾燥させることで形成することができるが、例えば図１に示すようにノズルＮから前記着色基材を高反射層２の上に押し出すことで塗上げ塗布することもできる。また、別の方法としては、棒状の部材の先端に前記着色基材を付着させて高反射層２の上に塗上げ塗布するものが挙げられる。この場合、ノズルＮや前記棒状の部材を上下、左右又は奥行き方向に移動させつつ塗上げ塗布することで、着色基材層３の平面視した形状や厚みＴを種々に変化させることができる。
【００１６】
図５に種々の平面形状の着色機材層３を胴部１ａの表面に形成した例を示す。
例えば図５（ａ）の例では、胴部１ａの表面を横断するように周縁部分３ａが直線状の着色機材層３が複数（図示の例では三つ）形成されている。複数の着色機材層３は離間して配置されていて、着色機材層３，３の間には高反射層２が露出している。
図５（ｂ）の例では、着色機材層３は平面視して円形又は楕円形で、高反射層２の上に離間して複数配置されている。この例では、高反射層２は胴部１ａの全周に形成されていて、着色基材層３は表面だけでなく側面にも形成されている。
また、図５（ｃ）の例では、形の異なる不定形状の着色機材層３が高反射層２の上に複数形成されている。この例では、少なくとも一部の着色基材層３の周縁部分３ａが隣接する他の着色基材層３の周縁部分３ａと重なるように形成されていてもよい。
【００１７】
［第二の実施形態］
図２に示すように、第二の実施形態では隣接する着色基材層３の周縁部分３ａを重ね合わせている（重ね合わせ部分を符号３ｃで示す）。隣接する着色基材層３の色は同系色でも異系色のいずれであってもよい。隣接する着色基材層３は同系色でも濃淡の異なる色とすることで、一の着色基材層３から隣接する次の着色基材層３まで連続した色の濃淡の変化を表すことができる、また異系色とすることで、一の着色基材層３から徐々に他の色への変化を表すことができる。
【００１８】
［第三の実施形態］
図３に示すように、第三の実施形態では、一つの着色基材層３の厚みＴが一方の周縁部分３ａから他方の周縁部分３ａに向かう過程で高低変化するようになっている。このようにすることで、一つの着色基材層３の中に複雑な濃淡の変化を表すことができる。
このような厚みＴの変化は、既に説明したように、例えばノズルＮ（図１参照）や前記棒状の部材を上下、左右又は奥行き方向に移動させつつ塗上げ塗布することで形成することができる。
【００１９】
［第四の実施形態］
図４に示すように、第四の実施形態では金色や銀色など反射色の異なる複数の高反射層２ａ，２ｂ，２ｃ，２ｄ・・を胴部１ａの表面に形成している。
このように高反射層２ａ，２ｂ，２ｃ，２ｄ・・の反射色を変えることで、着色基材層３の色や濃淡の変化だけでなく、これら反射色の異なる高反射層２ａ，２ｂ，２ｃ，２ｄ・・と着色基材層３との協働によって、彩色の変化をさらに多様化させることが可能になる。
【００２０】
本発明の彩色箸は上記のように構成されているので、図６の写真に示すように立体感、透明感及びグラデーションを併せ持つ新たな模様や色彩の箸を提供することが可能になるとともに、第一〜第四の実施形態を種々組み合わせることで、極めて多様なデザインの箸を提供することが可能になる。また、着色基材層３は立体的であることから、箸１の表面に凹凸が形成され、これによる滑り止め効果も得ることができる。
【００２１】
本発明の好適な実施形態について説明したが、本発明の棚照明装置は上記の説明に限定されない。
例えば、上記の説明では着色基材層３は複数形成するものとしているが、アクセント的に胴部１ａの上に一つだけ形成するようにしてもよい。
また、高反射層２の種類として金、銀、アルミなどの金属を例に挙げて説明したが、鏡面反射程度の高い反射率で外部光を反射できるものであれば、これら金属には限定されない。
【００２２】
さらに、本発明が適用される箸１は、樹脂製、木製に限らず金属製など、あらゆる材質の箸の適用が可能である。
また、透明基材に添加する顔料や染料は一色に限らず複数色でもよく、顔料及び染料の両方を添加してもよい。そして、一色の顔料や染料を用いる場合は、これらが透明基材中に不均一に分散した状態であってもよく、また、異なる色の顔料や染料を用いる場合は、これらが完全に混じり合っていないいわゆるカオス状態となっていてもよい。
【図面の簡単な説明】
【００２３】
【図１】本発明の彩色箸の第一の実施形態にかかる箸の胴部の部分断面図である。
【図２】本発明の彩色箸の第二の実施形態にかかる箸の胴部の部分断面図である。
【図３】本発明の彩色箸の第三の実施形態にかかる箸の胴部の部分断面図である。
【図４】本発明の彩色箸の第四の実施形態にかかる箸の胴部の部分断面図である。
【図５】本発明の彩色箸に形成される色彩や模様パターンの例を示す箸の斜視図である。
【図６】図６は本発明の色彩箸の一例にかかる写真である。
【符号の説明】
【００２４】
１        箸
１ａ      胴部
２        高反射層
３        着色基材層
３ａ      周縁部分
３ｂ      中央部分
３ｃ      重ね合わせ部分
【図１】
2018175263.tif 000003
【図２】
2018175263.tif 000004
【図３】
2018175263.tif 000005
【図４】
2018175263.tif 000006
【図５】
2018175263.tif 000007
【図６】
2018175263.tif 000008